(57)【要約】【課題】重ね合せ、馳係合してなる薄板屋根部材において、馳部の強度を向上させ、施工作業者が上に乗ったりしても、撓み・変形が発生しにくく、防水効果を低減しにくい薄板屋根部材とその組み立て・施工方法を提供することを課題とする。【解決手段】屋根外側と屋根反対内側に折り返す曲げ部分を重ね合せ、馳係合してなる薄板屋根部材の馳係合してなる曲げ部分が、断面にて、少なくとも１つの直線部、つまり長さ方向平面部を有し、前記薄板屋根部材断面に少なくとも１つの折れ曲がり部を有すること、加工装置を現場に持ち込んで加工することを特徴とする。【選択図】図１
2018131888.tif 000002
【特許請求の範囲】
【請求項１】
屋根外側と屋根反対内側に折り返す曲げ部分を重ね合せ、馳係合してなる薄板屋根部材において、
前記重ね合せ、馳係合してなる折り返し曲げ部分の、薄板屋根部材長さ方向垂直断面に、前記薄板屋根部材本体表面と略平行でない少なくとも１つの直線部、すなわち、前記薄板屋根部材本体表面と略平行でない長さ方向平面部を有し、前記薄板屋根部材の長さ方向断面に少なくとも１つの折れ曲がり部を有することを特徴とする薄板屋根部材。
【請求項２】
前記重ね合せ、馳係合してなる薄板屋根部材の屋根外側に折り返す曲げ部分の先端部分の前記薄板屋根部材長さ方向垂直断面にて、屋根外側に折り返してなる曲げ返し部分を配し、前記重ね合せ、馳係合してなる薄板屋根部材の屋根内側に折り返す曲げ部分の先端部分の前記薄板屋根部材長さ方向垂直断面にて、前記屋根内側に折り返してなる曲げ返し部分を配することを特徴とする請求項１に記載の薄板屋根部材。
【請求項３】
前記重ね合せ、馳係合してなる前記薄板屋根部材の、前記重ね合せ、馳係合のための、屋根外側に折り返す曲げ部分か、屋根反対内側に折り返す曲げ部分の、いずれか一方の重合、馳係合折り返し曲げ部分が、前記薄板屋根部材長さ方向垂直断面にて、前記薄板屋根部材と合わせて、３つの直線部、略三角形、すなわち、前記薄板屋根部材長さ方向を軸とする略三角柱とすることを特徴とする請求項１に記載の薄板屋根部材。
【請求項４】
前記薄板屋根部材長さ方向垂直断面にて、前記薄板屋根部材と合わせて、３つの直線部、略三角形、すなわち、前記薄板屋根部材長さ方向を軸とする略三角柱になる前記薄板屋根部材と、重ね合せ、馳係合する前記薄板屋根部材と別の、前記薄板屋根部材の曲げ部分に、前記薄板屋根部材長さ方向垂直断面にて、２つ以上の直線部を有することを特徴とする請求項３に記載の薄板屋根部材。
【請求項５】
鋼板、カラー鋼板、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅版、亜鉛板、のいずれか１つの材料を前記重合、馳係合してなる薄板屋根部材として配することを特徴とする請求項１に記載の薄板屋根部材。
【請求項６】
鋼板、カラー鋼板、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅版、亜鉛板、のいずれか１つの材料を前記重合、馳係合してなる薄板屋根部材として配することを特徴とする請求項２〜６に記載の薄板屋根部材。
【請求項７】
前記薄板屋根部材に屋根内側に折り曲げた少なくとも一つの断面直線部を有する馳部を設け、もう一つの前記屋根内側に折り曲げた少なくとも一つの断面直線部を有する馳部を設けた屋根部材を、前記薄板屋根部材の長さ方向に、伸縮目地として、距離を置いて、配置し、屋根外側に折り曲げた少なくとも一つの断面直線部を有する馳部を設けた継手裏板を前記伸縮目地として、距離を置いたまま、前記薄板屋根部材の屋根内側に配置し、
前記継手裏板には、前記屋根外・上側に折り曲げる端部折り曲げ雨がえしと、前記薄板屋根部材２個に対応する少なくとも一対個数２のガーター部を配置し、前記薄板屋根部材の馳部と前記継手裏板を馳係合させることを特徴とする請求項１〜４に記載の薄板屋根部材の組み立て方法。
【請求項８】
前記薄板屋根部材に屋根内側に折り曲げた少なくとも一つの断面直線部を有する馳部を設け、もう一つの前記屋根内側に折り曲げた少なくとも一つの断面直線部を有する馳部を設けた屋根部材を、前記薄板屋根部材の長さ方向に、伸縮目地として、距離を置いて、配置し、屋根外側に折り曲げた少なくとも一つの断面直線部を有する馳部を設けた継手裏板を前記伸縮目地として、距離を置いたまま、前記薄板屋根部材の屋根内側に配置し、前記継手裏板には、前記屋根外・上側に折り曲げる端部折り曲げ雨がえしと、前記薄板屋根部材２個に対応する少なくとも一対個数２のガーター部を配置し、前記薄板屋根部材の馳部と前記継手裏板を馳係合させることを特徴とする請求項５〜６に記載の薄板屋根部材の組み立て方法。
【請求項９】
前記薄板屋根部材と前記継手裏板の曲げ加工の一部または全部を加工する加工装置を前記薄板屋根施工現場近傍に持ち込んで成形し、組み立てることを特徴とする請求項１〜８に記載の薄板屋根部材の組み立て施工方法。
【発明の詳細な説明】
【技術分野】
【０００１】    本発明は、屋根葺施工にかかる金属板を含む薄板製の屋根部材、特に折り返す曲げ部分を重ね合せ、馳係合してなる薄板屋根部材とその組み立て施工方法に関する。
【背景技術】
【０００２】    伝統的な和瓦葺施工の屋根は、重厚感と高級感を備えた外見を有し、多くの家屋、建て屋に使用されているが、近年国内で発生した大きな地震では、重量の大きな和瓦が耐震構造の充分でない住宅、建て屋を倒壊、半倒壊させて被害を招いている。将来発生が予想される地震でもこのような被害が懸念される。スレート屋根等の有効性も確認されているが、スレート屋根も重量があり、大きな地震での住宅、建て屋に与える負担は大きい。スレート屋根系の耐久性は、金属薄板製の屋根系に比較して、１０年前後は耐久性が短くより多くのメンテナンスが必要と屋根施工業界で言われることも多い。【０００３】    特許文献１に示すように、必要部品点数やその種類を低減するために、また、製造時・施工時の工数低減と効率化のために、金属製屋根板の上下両端部に、上下連結各馳部２８部を形成し、左右葺きの時の共用部品とする発明が開示されている。図３と表裏半転させた図４の上下連結各馳部は、表裏半転利用を基本的技術的特徴とするがゆえに、上下連結各馳部の屋根材長手方向に対する断面形状が、各屋根側、反屋根側ともにとても類似し、かつ、長手方向を軸にした断面に緩やかな曲線成分、軸方向に緩やかな曲面が圧倒的に多い。これらが本発明の手段・構成・作用と異なる。【０００４】    また、特許文献２に示すように、折り板屋根材の下馳部と上馳部との間にはさみこまれる馳部１１に吊り子長手方向に直交する屈曲補強リブ１３を設けることで、馳部１１の強度を強くする発明が開示されている。しかし、折り板屋根材として、防水等の重要機能・作用を満足させると同時に、折り板屋根材そのものの強度を高めるものではない。【０００５】    さらに、特許文献３では、馳締タイプの折り板屋根において、特許文献３の明細書の幅方向に円弧上に膨出する円弧舌片部１１を有する舌片部１と、円弧舌片部１１下端に形成された首部２を有する発明が開示されている。特許文献３の馳締タイプの折り板屋根では、図１、図２における上馳部９５に断面略直線部、すなわち、長手軸方向に平面部を有する。ここに、屋根板頂部９３の面や、詳細説明から充分明確な記載明示に至らないが全体内容から屋根板底部に違いない図６の屋根部材９１の面に、上馳部９５の断面略直線部、すなわち、長手軸方向に平面部は、略並行である。ここが本発明構成と異なる。【０００６】    特許文献３の馳締タイプの折り板屋根では、特許文献３の明細書の首部２に、断面略直線部、すなわち、長手軸方向に平面部を有する。上馳部材、下馳部材ともに断面円弧状、断面舌片状、つまり、長手軸方向に局面状であり、本発明構成と異なる。特許文献３のような馳締タイプの折り板屋根では、上馳部材、下馳部材で形成される馳部分の断面の一部に屋根板と略平行でない断面略直線部、すなわち、長手軸方向に平面部を少なくとも一つ有しない。この点も本発明構成と異なる。【０００７】  従来のスレート系屋根としては、粘板岩あるいは層状をなした頁（けつ）岩の薄板からなる天然スレートや人工的なスレートとして厚型スレート（プレス成型したモルタル製の瓦）、石綿セメント板など、セメント製品が多く利用されてきた。ここに、従来のスレート系屋根は、耐用年数は、概ね２０年と言われて��り、塗装メンテナンスが必要であった。これに対して、例えば、金属薄板を利用した屋根は、耐用年数は、特段の塗装を施さなくても、耐用年数は、概ね３０年はあると言われるようになってきた。
【先行技術文献】
【特許文献】
【０００８】
【特許文献１】特開２００６−２９１５４４号公報
【特許文献２】特開２０００−３２８７２７号公報
【特許文献３】特開２０１４−２１４４２８号公報
【発明の概要】
【発明が解決しようとする課題】
【０００９】    従来のスレート系屋根は、薄板系屋根に比べると一般に重量が重いが、軽くするためにアスベスト等を混入させた複合材料とすることが多いので、アスベスト等に起因する健康被害や各種リサイクル過程での環境負荷をもたらす。また、従来のスレート系屋根は、全体の耐用年数が短い傾向があると言われている上に、一般にメンテナンススパンが短く、塗装メンテナンスを繰り返す必要が高かった。さらに、屋根材料として加工しにくいと言う課題があった。【００１０】  特許文献１では、図３、図４と関連する明細書記述において、上下両端所定幅部分に互いに表裏反対向きとなるよう折り返して上下連結のための馳部、上端連結用馳部２８（下端連結用馳部）を長手方向に対する断面が緩やかなＺ形状類似曲線としているので、水がえし防水効果が不十分であった。また、上端連結用馳部２８（下端連結用馳部）の巻き込みが存在しないことと、屋根外側や屋根内側に折り返してなる曲げ返し部分がない構成により、水がえし防水効果が不十分であった。単位屋根板に上下方向二か所の系合、一か所に２つの防水用の水がえしが本発明にあることから、単位屋根板上下方向に付き、４カ所の防水効果のための水がえし機能が本発明に対してない構成・作用・効果である。【００１１】  また、特許文献１では、図３、図４等において、上下両端所定幅部分に互いに表裏反対向きとなるよう折り返して上下連結のための馳部、上端連結用馳部２８（下端連結用馳部）を長手方向に対する断面が緩やかなＺ形状類似曲線としているので、屋根葺き施工時、施工作業者が上に乗ったり、施工関連装置を施工時に屋根に載せたり、材料を屋根上に仮置きした時等重力で撓みが発生し、防水効果が不十分であった。また、上端連結用馳部２８（下端連結用馳部）は、断面が緩やかなＺ形状類似曲線としているので、量産性に乏しく、品質ばらつきが大きく、これが原因で、屋根の根本的機能である防水効果が低減する問題点があった。そして、段落［００２７］にある、ル―ズに差しこんただけ、段落［００１８］にある、丸みを持たせ、ルーズなものになるようにしていることから、防水効果が低減する問題が顕著になる。【００１２】  さらに、特許文献１では、上下連結各馳部は、表裏半転利用を基本的技術的特徴とするがゆえに、馳部を略点対象的な長手方向に対する断面が緩やかなＺ形状類似曲線としているので、また、根本的に上下連結馳部の巻き込みが浅いので、表裏の両方に防水効果は少しあるが、表裏いずれか一方向に対する防水効果は、構造的に不十分である問題点があった。【００１３】  特許文献２では、図１、図２、図３、図４と明細書中に記載の、馳部１１、２１、下馳部１１４、上馳部１１５が、屋根部材から特出しているので、特出部内側を中心に水がたまりやすい。このため、金属屋根の場合、腐食が進行しやすい等の問題があった。馳部１１、２１、下馳部１１４、上１１５馳部は、曲げ加工をともなっているので、応力腐食が進行しやすい問題があった。また、特許文献２では、屈曲部（補強リブ）形成によって強度を補強し、折り板屋根を強く固定しようとするもので、屋根板そのもの、特に、屋根板馳部の強度を上げるものではない問題点があった。さらに特許文献２では、馳部の長手方向断面が曲線、長手方向に局面なので、量産性に乏しく、品質ばらつきが大きく、これが原因で、屋根の根本的機能である防水効果が低減する問題点があった。ここに、馳部の曲げ巻き込み自体が浅い上、馳部端に屋根外側や屋根内側に折り返してなる曲げ返し部分がない構成により、屋根の機能として重要な水がえし防水効果が不十分である問題点があった。【００１４】  特許文献３では、馳部１、馳部部１２、馳部９５等が、屋根部材から特出しているので、特出部内側を中心に水がたまりやすい。このため、金属屋根の場合、腐食が進行しやすい等の問題があった。馳部１、馳部１２、馳部９５等は、曲げ加工をともなっているので、応力腐食が進行しやすい問題があった。さらに、特許文献３では、馳部の長手方向断面が曲線、長手方向に局面なので、量産性に乏しく、品質ばらつきが大きく、これが原因で、屋根の根本的機能である防水効果が低減する問題点があった。ここに、馳部の曲げ巻き込み自体が浅い上、馳部端に屋根外側や屋根内側に折り返してなる曲げ返し部分がない構成により、屋根の機能として重要な水がえし防水効果が不十分である問題点があった。また、馳部１、馳部１２、馳部９５等が、屋根部材から特出しているので、系合部が目立って、美観を損なう問題もあった。特許文献３では、施工時に、作業者が乗ったり、施工関連装置を屋根に載せたり、材料を屋根上に仮置きした時等に、首部２に応力が集中し、不要な変形をおこし、美観を損なう等の問題があった。【００１５】  そこで、本発明は、屋根外側と屋根反対内側に折り返す曲げ部分を重ね合せ、馳係合してなる薄板屋根部材において、馳部の強度を向上させ、屋根葺き施工時に、施工作業者が上に乗ったり、施工関連装置を施工時に屋根に載せたり、工具や材料を屋根上に仮置きした時等の重力に耐え、かつ、施工関連装置を施工時に屋根に載せたり、材料を屋根上に仮置きした時等に撓み・変形が発生することにより、防水効果が低減しにくい薄板屋根部材を提供することを課題とする。施工性が良好で、施工作業しやすく、仕上がり美観の艮好な薄板屋根部材とその製造・組み立て方法・施工方法を提供することを課題とする。【００１６】  また、本発明は、水がたまりにくく、屋根の機能として重要な水がえし防水効果の高い薄板屋根部材を提供することを課題とする。さらに、加工時の加工性、量産性が良く、品質ばらつきと、施工ばらつきが低減する薄板屋根部材を提供することを課題とする。そして、系合部が目立ってしまって、美観を損なうことがない薄板屋根部材とその製造・組み立て方法・施工方法を提供することを課題とする。
【課題を解決するための手段】
【００１７】  前記課題を解決するため、本発明は、屋根外側と屋根反対内側に折り返す曲げ部分を重ね合せ、馳係合してなる薄板屋根部材において、前記重ね合せ、馳係合してなる折り返し曲げ部分の、薄板屋根部材長さ方向垂直断面に、前記薄板屋根部材本体表面と略平行でない少なくとも１つの直線部、すなわち、前記薄板屋根部材本体表面と略平行でない長さ方向平面部を有し、前記薄板屋根部材の長さ方向断面に少なくとも１つの折れ曲がり部を有することによって成る。【００１８】  このため、前記本発明によると、馳係合してなる薄板屋根部材の馳部の長手方向、短手方向の一方、または両方において、前記馳係合してなる薄板屋根部材の馳部の少なくとも１つの直線部、すなわち、長さ方向を含む平面部を前記薄板屋根部材本体表面と略平行以外の方向になるように折り曲げ、組みたてることができる。これにより、薄板屋根部材そのものの強度を向上させ、撓み・変形を防止し、屋根部材の重要機能である水がえし・防水効果を高める。【００１９】  また、請求項２にかかる本発明は、前記課題を解決するため、前記重ね合せ、馳係合してなる薄板屋根部材の屋根外側に折り返す曲げ部分の先端部分の前記薄板屋根部材長さ方向垂直断面にて、屋根外側に折り返してなる先端曲げ返し部分を配し、前記重ね合せ、馳係合してなる薄板屋根部材の屋根内側に折り返す曲げ部分の先端部分の前記薄板屋根部材長さ方向垂直断面にて、前記屋根内側に折り返してなる先端曲げ返し部分を配することによって成る。【００２０】  このため、前記薄板屋根部材長さ方向垂直断面にて、屋根外側に折り返してなる曲げ返し部分が、前記屋根外側に折り返してなる曲げ返し部分の近傍に、万一雨水が入りこんでしまった場合の雨がえし作用を有する。同時に、前記屋根外側に折り返してなる前記先端曲げ返し部分は、開放状態ながらも、長手方向に半柱状効果をなし、前記屋根外側に折り返してなる先端曲げ返し部分の前記薄板屋根部材の前記重ね合せ、馳係合の強度向上作用を有する。つまり、より少ない前記薄板屋根部材で、施工時作業員が上に乗ったり、施工装置や、材料・工具等を仮置きした際、撓んだり、撓んだ履歴が残ることによる防水機能の低下を防止できる。ここに、前記先端曲げ返し部分は、曲げ加工によって加工硬化を受けているので、前記撓み、撓んだ履歴や防水機能の低下作用効果をより薄く軽く少ない材料使用にて効果的に実現できる。【００２１】  また、前記屋根内側に折り返してなる前記先端曲げ返し部分は、開放状態ながらも、長手方向に半柱状効果をなし、前記屋根外側に折り返してなる先端曲げ返し部分の前記薄板屋根部材の前記重ね合せ、馳係合の強度向上作用を有する。つまり、より少ない前記薄板屋根部材で、施工時作業員が上に乗ったり、施工装置や、材料・工具等を仮置きした際、撓んだり、撓んだ履歴が残ることによる防水機能の低下を防止できる。ここに、前記先端曲げ返し部分は、曲げ加工によって加工硬化を受けているので、前記撓み、撓んだ履歴や防水機能の低下作用効果をより薄く軽く少ない材料使用にて効果的に実現できる。【００２２】  さらに、前記屋根外側に折り返してなる先端曲げ返し部分と前記屋根外側に折り返してなる先端曲げ返し部分との曲げ曲率をそれぞれ変えることにより、前記薄板製の屋根部材の全体傾斜、薄板製の屋根部材の圧延方向、材料材質ばらつき、曲げ加工速度、経時変化等に伴って、撓み、強度、防水作用にばらつきが出た時、補正調整できる。【００２３】  前記課題を解決するため、請求項３にかかる本発明は、前記重ね合せ、馳係合してなる前記薄板屋根部材の、前記重ね合せ、馳係合のための、屋根外側に折り返す曲げ部分か、屋根反対内側に折り返す曲げ部分の、いずれか一方の重合、馳係合折り返し曲げ部分が、前記薄板屋根部材長さ方向垂直断面にて、前記薄板屋根部材と合わせて、３の直線部、略三角形、すなわち、前記薄板屋根部材長さ方向を軸とする略三角柱とすることによって成る。【００２４】  請求項３にかかる本発明では、前記屋根外側に折り返す曲げ部分か、屋根反対内側に折り返す曲げ部分の、いずれか一方の重合、馳係合折り返し曲げ部分が、前記薄板屋根部材長さ方向垂直断面にて、前記薄板屋根部材と合わせて、３の直線部、略三角形、すなわち、前記薄板屋根部材長さ方向を軸とする略三角柱のため、前記３の直線部の２直線部が前記薄板屋根部材表面と略平行でないため、前記３の直線部、略三角形近傍の、前記重ね合せ、馳係合の強度向上作用を有する。【００２５】  そして、より薄く軽く少ない前記薄板屋根部材の材料で、施工時作業員が上に乗ったり、施工装置や、材料・工具等を仮置きした際、撓んだり、撓んだ履歴が残ることによる防水機能の低下を防止できる。【００２６】  ここに、前記断面３の直線部、略三角形、すなわち、前記薄板屋根部材長さ方向を軸とする略三角柱は、断面が三角形形状であることにより、さらに、強化される。そして、断面が三角形形状であることにより少なくとも２以上の曲げ加工を設こしていることから、曲げ加工による加工硬化を受けている稜線を少なくとも２つ以上有することから、前記薄板屋根部材そのものの強度を著しく増加させ、前記撓み、撓んだ履歴や防水機能の低下作用効果をより薄く軽く少ない材料使用にて効果的に実現できる。【００２７】  前記課題を解決するため、請求項４にかかる本発明は、前記薄板屋根部材長さ方向垂直断面にて、前記薄板屋根部材と合わせて、３つの直線部、略三角形、すなわち、前記薄板屋根部材長さ方向を軸とする略三角柱になる前記薄板屋根部材と、重ね合せ、馳係合する前記薄板屋根部材と別の、前記薄板屋根部材の曲げ部分に、前記薄板屋根部材長さ方向垂直断面にて、２つ以上の直線部を有することによって成る。【００２８】  請求項４にかかる本発明にて、前記薄板屋根部材と合わせて、３つの直線部、略三角形、すなわち、前記薄板屋根部材長さ方向を軸とする略三角柱になる前記３つの直線部、略三角形に外接または、空間距離を置いて外接するように、前記薄板屋根部材と、重ね合せ、馳係合する前記薄板屋根部材と別の、前記薄板屋根部材の曲げ部分に、前記薄板屋根部材長さ方向垂直断面にて、２つ以上の直線部を有する前記薄板屋根部材の他方の重ね合せ、馳係合部を、前記３つの直線部、略三角形に内接または、空間距離を置いて内接する構成にすると、３つの直線部、略三角形柱面曲げ部が芯部となり、そして、２つ以上の直線部を有する前記薄板屋根部材の他方の重ね合せ、馳係合部が外郭となって、前記薄板屋根部材をさらに強化する作用がある。２つ以上の直線部を有する前記薄板屋根部材の他方の重ね合せ、馳係合部の断面に外接または距離をおいて外側になるように、前記３つの直線部、略三角形曲げ部柱面が外接または、空間距離を置いて外接する構成にすると、２つ以上の直線部を有する前記薄板屋根部材の他方の重ね合せ、馳係合部が芯となり、そして、前記３つの直線部、略三角形曲げ部柱面が外接または、空間距離を置いて外接する重ね合せ、馳係合部が外郭となって、前記薄板屋根部材をさらに強化する作用がある。【００２９】  そして、さらに薄く軽く少ない前記薄板屋根部材の材料で、施工時作業員が上に乗ったり、施工装置や、材料・工具等を仮置きした際、撓んだり、撓んだ履歴が残ることによる防水機能の低下をさらに防止できる。より少ない材料で、機能を果たすことは、材料そのものの製造環境負荷の低減、加工装置の入力電力の低減等加工時の環境負荷の低減、リサイクル時の環境負荷の低減等大きなライフサイクル総合環境負荷の低減作用を成す。【００３０】  また、前記課題を解決するため、請求項５、請求項６にかかる本発明は、鋼板、カラー鋼板、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅版、亜鉛板、のいずれか１つの材料を前記重合、馳係合してなる薄板屋根部材として配することによって成る。【００３１】  請求項５、請求項６にかかる本発明では、屋根系全体の軽量化により、大きな地震発生時、重量のある屋根によって加勢される建て屋の振動による建て屋そのものの振動、共振を低減できる作用がある。これにより、地震発生時の建て屋の倒壊、半倒壊による被害を減じる作用があるとともに、小さな地震で有っても、共振等による、建て屋の経時劣化を抑制できる。また、板材料の色バラエティにより、建物にふさわしい、施工主体の希望する美観、外観創出できる。【００３２】    請求項７、請求項８にかかる本発明は、前記薄板屋根部材に屋根内側に折り曲げた少なくとも一つの断面直線部を有する馳部を設け、もう一つの前記屋根内側に折り曲げた少なくとも一つの断面直線部を有する馳部を設けた屋根部材を、前記薄板屋根部材の長さ方向に、伸縮目地として、距離を置いて、配置し、屋根外側に折り曲げた少なくとも一つの断面直線部を有する馳部を設けた継手裏板を前記伸縮目地として、距離を置いたまま、前記薄板屋根部材の屋根内側に配置し、前記継手裏板には、前記屋根外・上側に折り曲げる端部折り曲げ雨がえしと、前記薄板屋根部材２個に対応する少なくとも一対個数２のガーター部を配置し、前記薄板屋根部材の馳部と前記継手裏板を馳係合させることによって成る。【００３３】  請求項７、請求項８にかかる本発明では、前記薄板屋根部材二つの間に、伸縮吸収目地を設定して、前記継ぎ手裏板と組み立てられるので、前記薄板屋根部材や前記継ぎ手裏板に金属板を採用した時、特に、腐食しにくい銅板等の熱膨張率の大きい材料を選択した時、温度差による膨張収縮・伸縮を安全に吸収しつつ、多重な防水作用・効果を発揮する。そして、前記継ぎ手裏板を組み立て、施工後、仕上がり外観が和風で華麗な美しさを表現することができる。【００３４】  請求項９にかかる本発明は、前記薄板屋根部材と前記継手裏板の曲げ加工の一部または全部を加工する加工装置を前記薄板屋根施工現場近傍に持ち込んで成形し、組み立てるとによって成る。【００３５】  工場での前記薄板屋根部材の加工を多くすると、前記薄板屋根部材の製品、半製品に曲げ加工が施される程度に応じて、前記薄板屋根部材の製品、半製品そのものが、立体的になる。結果、全体に体積が増す。そして、曲げ加工済み部分に、材料の重ね合わせ重量や輸送中の振動等によって変形してしまわないように、輸送専用のマテリアルハンドリング容器・治具の製作が必要になり、輸送コスト、ト―タルコストが上がる。請求項９にかかる組み立て施工方法本発明では、これらのコストを低減でき、輸送中の前記薄板屋根部材の製品、半製品の品質劣化が回避できる。前記薄板屋根部材の施工現場近傍で、多く、前記薄板屋根部材の加工をすれば、前記薄板屋根部材の製品、半製品の輸送コストと輸送専用のマテリアルハンドリング容器・治具の製作費用が大幅に低減できる。
【発明の効果】
【００３６】    本発明によると、屋根外側と屋根反対内側に折り返す曲げ部分を重ね合せ、馳係合してなる薄板屋根部材において、馳部の強度を向上させ、屋根葺き施工時、施工作業者が上に乗ったり、施工関連装置を施工時に屋根に載せたり、材料を屋根上に仮置きした時等の重力に耐えられる効果がある。同時に、施工関連装置を施工時に屋根に載せたり、材料を屋根上に仮置きした時等撓み・変形が発生しにくく、防水効果を低減しにくい薄板屋根部材とその製造・組み立て方法・施工方法を提供する効果がある。薄板屋根部材の長さ方向断面に少なくとも１つの折れ曲がり部を有するので、屋根全体に平面的になり、美観も良好で馳部係合部の段差が安定的に強く、著しく目立たなくなる効果がある。【００３７】  また、本発明によると、水がたまりにくく、屋根の機能として重要な水がえし防水効果の高い薄板屋根部材を提供できる効果がある。さらに、量産性の良い、品質ばらつきと、施工ばらつきが低減する薄板屋根部材を提供きる効果がある。そして、系合部が目立ってしまって、美観を損なうことがない薄板屋根部材とその製造・組み立て方法・施工方法を提供できる効果がある。このように、本発明薄板屋根部材とその製造・組み立て方法・施工方法によると、馳部の強度が上がって変形しにくくなる。結果、防水効果が安定的に向上する。さらに、台風や強風による負圧にも正圧にも耐久性が向上する。また、負圧にも正圧にも強度が向上し、負圧と正圧の繰り返し印加時経時耐久性も向上する効果がある。【００３８】  さらに、本発明によると、薄板屋根部材相互を馳係合して施工したあとの仕上がり外観が和風で華麗な美しさを表現することができる。前記薄板屋根部材を前記継ぎ手裏板と重ね合せ、前記馳係合して施工するので、薄板屋根部材相互のジョイント重ね合せ、及び、薄板前記屋根部材相互のジョイント重ね合せ馳係合部と前記継ぎ手裏板との組み立て部分のジョイント、馳係合部を含む全体外観として、組み立て施工したあとの仕上がり外観が和風で華麗な美しさを表現することができる。本発明によると、組み立て性が良好で、施工作業が容易で、工期を短縮できる薄板屋根を提供出来る。同時に、馳係合部の上に作業者が乗ったり、施工関連装置を施工時に屋根に載せたり、材料を屋根上に仮置きした時等、従来の段差に比べて、全体的にしかも弾性的に馳係合部で受けるので、撓み・変形履歴が大幅に残りにくくなり、防水効果を低減させない。【００３９】  この上、本発明によると、前記薄板屋根部材二つの間に、伸縮吸収目地を設定して、前記継ぎ手裏板と組み立てられるので、前記薄板屋根部材や前記継ぎ手裏板に金属板を採用した時、特に、腐食しにくい銅板等の熱膨張率の大きい材料を選択した時、温度差による膨張収縮・伸縮を屋根不良を派生させることなく、安全に吸収しつつ、多重な防水作用・効果を発揮する。施工主体が希望する外観、美観を表現できる。
【図面の簡単な説明】
【００４０】
【図１】本発明の屋根外側と屋根反対内側に折り返す曲げ部分を重ね合せ、馳係合してなる薄板屋根部材の薄板屋根部材長さ方向垂直断面図である。図１は、図２の略ＰＱ断面図である。
【図２】隣り合う薄板屋根部材３を組み立てる状況を示す斜視図である。
【図３】隣り合う薄板屋根部材３を組み立てた状況を示す斜視図である。
【図４】（ａ）は、図３のＭＮ線にての略断面図である。（ｂ）は、図４（ａ）の一部を拡大した略断面図である。
【発明を実施するための形態】
【００４１】  以下、本発明の実施形態について、適宜図面を参照しながら説明する。
図１は本発明実施形態の屋根外側と屋根反対内側に折り返す曲げ部分を重ね合せ、馳係合してなる薄板屋根部材の薄板屋根部材長さ方向垂直断面図である。
【００４２】    図１において、矢印１の方向が屋根外側、矢印２の方向が屋根内側である。ここに、３が、屋根外側と屋根反対内側に折り返す曲げ部分を重ね合せ、馳係合してなる薄板屋根部材である。４は、屋根外側と屋根反対内側に折り返す曲げ部分を重ね合せ、馳係合してなる薄板屋根部材３を上下方向に重ね合せ、馳係合させ、薄板屋根部材３の本体表面と略平行でない少なくとも１つの直線部、すなわち、薄板屋根部材３の本体表面と略平行でない長さ方向平面部を有する内馳部である。５は、別の隣り合って組み立てられる薄板屋根部材３の内馳部４に外接または、距離を置いて外接または、外側に配置する外馳部である。
【００４３】    図１において、１１は、薄板屋根部材３の本体表面と略平行でない少なくとも１つの直線部、すなわち、前記薄板屋根部材本体表面と略平行でない長さ方向平面部である。１２も、薄板屋根部材３の本体表面と略平行でない少なくとも１つの直線部、すなわち、前記薄板屋根部材本体表面と略平行でない長さ方向平面部である。
【００４４】  図１にかかる本発明実施形態は、一例として、寸法１３を約１０ｍｍとした。また、寸法１４を約１５ｍｍとした。結果、請求項３に記載の薄板屋根部材３と合わせて、３つの直線部、略三角形、すなわち、前記薄板屋根部材３の長さ方向を軸とする略三角柱は、断面が板屋根部材３の１６を底辺とし、薄板屋根部材３、１６に略平行でない１１、１２を等辺とする略二等辺三角形になっている。
【００４５】  ここに、一例として、寸法１３を約１０ｍｍとし、寸法１４を約１５ｍｍとしたのは、後述する隣り合う薄板屋根部材３の組み立て重ね合せ、馳係合する外馳部５の内側に内馳部４の長手方向断面外周に収まればよいもので、外馳部５の各寸法、屋根の働き幅Ｌを斟酌して、相対的に寸法設計すればよい。ループ材その他の材料取りと屋根の働き幅Ｌを斟酌して、材料が無駄にならないような寸法設計をすればよい。
【００４６】  薄板屋根部材３の１６と合わせて、３つの直線部、略三角形、すなわち、前記薄板屋根部材長さ方向を軸とする略三角柱が板屋根部材３、１６に略平行でない１１、１２を等辺とする略二等辺三角形になっている実施態様は、馳部の強度を向上させる。
【００４７】  屋根葺き施工時に、施工作業者が上に乗ったり、施工関連装置を施工時に屋根に載せたり、工具や材料を屋根上に仮置きした時等の重力が印加され、１１と１５の間の曲げ部に、重力が加り、外馳部５の内側と接触または、近似接触した場合１１と１４に略均等に、負荷が分散する作用効果がある。
【００４８】  しかし、屋根葺き施工時に、施工作業者が屋根の上に乗ったり、施工関連装置を施工時に屋根に載せたり、工具や材料を屋根上に仮置きした時等の重力印加は、長さ方向で受けることになり、単位長さ当たりには、強大なものでないので、１１、１５、１６で形成されるのは、断面が二等辺三角形で有っても、正三角形であっても、略三角つまり、別の三角形断面でありさえすれば、作用・効果を奏する。１１、１５のような少なくとも一つの断面直線部、長手方向平面部を有せば、作用・効果を奏する。
【００４９】  すなわち、施工時作業員が上に乗ったり、施工装置や、材料・工具等を仮置きした際、撓んだり、撓んだ履歴が残ることによる防水機能の低下を防止できる。
【００５０】  略三角柱は、断面が三角形形状であることにより、さらに、強化される。そして、断面が三角形形状であることにより少なくとも２以上の曲げ加工を設こしていることから、
曲げ加工による加工硬化を受けている稜線を少なくとも２つ以上有することから、薄板屋根部材そのものの強度を著しく増加させ、撓み、撓んだ履歴や防水機能の低下作用効果をより薄く軽く少ない材料使用にて効果的に実現できる。
【００５１】  また、図１にかかる本発明実施形態では、重ね合せ、馳係合してなる薄板屋根部材３の屋根外側に折り返す曲げ部分の先端部分の前記薄板屋根部材長さ方向垂直断面にて、屋根外側に折り返してなる内馳部４の曲げ返し部分１７を配し、前記重ね合せ、馳係合してなる薄板屋根部材３の屋根内側に折り返す曲げ部分、すなわち外馳部５の先端部分の前記薄板屋根部材長さ方向垂直断面にて、前記屋根内側に折り返してなる曲げ返し部分２１を配する。
【００５２】  内馳部４の、曲げ返し部分１７と１１の間の断面曲げ部分、１１と１５の間の断面曲げ部分、１５と１７の間の曲げ部分は、長手方向に柱状を成すので、施工時作業員が上に乗ったり、施工装置や、材料・工具等を仮置きした際、板屋根部材そのものの強度を著しく増加させ撓んだり、撓んだ履歴が残ることが低減される。撓んだり、撓んだ履歴が残ることによる防水効果の低下が抑止される。
【００５３】  また、曲げ返し部分１７と１１の間の断面曲げ部分、１１と１５の間の断面曲げ部分、１５と１７の間の曲げ部分そのもの全部で  外馳部５の内側形状と相まって、多重に、雨がえし、防水効果が得られる。
【００５４】  図１の本発明実施形態において、内馳部４の先端曲げ返し部分１７のと１６最近傍部分と１６の間の隙間ｔを設ける。ここに、施工時作業員が上に乗ったり、施工装置や、材料・工具等を仮置きした際、上下方向の重力が加わった時、塑性剛体として抗するのでなく、隙間ｔを弾性変形スペースとして介して、薄板屋根部材３の内馳部本体表面と略平行でない直線部１１という薄板部、１１という薄板部と１５という薄板部の間の曲げ部、薄板屋根部材３の内馳部本体表面と略平行でない直線部１２という薄板部、１６という薄板部の弾性連携として全体的にも弾性的に抗するので、重力による弾性的変形が重力がなくなった時、元に戻り、不可逆的変形歪履歴として残留し、雨がえし、防水能力の低下をきたしにくい。
【００５５】  〈多重防水作用・効果〉
図１の本発明実施形態においては、内馳部４の先端曲げ返し部分１７の曲り曲率が、上向きなので、外馳部５の先端曲げ返し部分２１の曲り曲率より曲げ返し部分１７の曲り曲率を大きくし、万一水が入り込んだ時の曲げ返し部分１７での保水・雨がえしを大きくし、それ以上実質内側に水が入り込まないようにする作用・効果がある。図１の本発明実施形態においては、下向きの内馳部４の先端曲げ返し部分１７の曲り曲率より大きく取ったが、全体に多重の雨がえし、防水機能があるため、下向きの内馳部４の先端曲げ返し部分１７の曲り曲率が、外馳部５の先端曲げ返し部分２１の曲り曲率より小さい一実施形態でも、下向きの内馳部４の先端曲げ返し部分１７の曲り曲率と外馳部５の先端曲げ返し部分２１の曲り曲率とが、同等である一例でも、全体の多重雨がえし、防水機能を奏する過程で維持される。先端曲げ返し部分１７、先端曲げ返し部分２１それぞれ単独でも雨がえし、防水機能を奏する。外馳部５は、上から下方向に曲げ加工しているので、上から下方向の降水に関しては、屋根板材に穴でもあかない限り完全防水する。ここに、台風時等の矢印Ｒ方向からの降水が大きなリスクになる。矢印Ｒ方向からの降水が有った時、別の隣り合う屋根部材３の内馳部４が、前記外馳部５の内側に馳せ係係合するが、矢印Ｒ方向からの降水の上から下への垂直降水成分には２２部断面直線部が防水機能する。屋根上表面に反射した降水に関しては、２２部と２４部の少し緩やかな曲率の曲線で、少し緩やかゆえに、少し緩やかな曲率の曲線に沿って少し長距離雨水がより内側に進行するのを防止する。２５部は、よしんば結露が生じた場合でも、重力で２４部方向、つまり外側方向に水滴は流れる。２２部２３部に結露しても、２４部の曲線の下端で多くとどまり、風等にあおられた結露は、フラット部２５でより多く内側侵入を阻害される。もし、もっと内側方向に進んでも、先端曲げ返し部分２１で返される。最悪でも、先端曲げ返し部分２１の内側に保水され、より内側に入り込みにくい。わずかでも、短時間でも保水しているうちに、蒸発する等により進行の心配はなくなる。もう一つの内馳部４の１６部の底部と２５部上表面がフラットなため、また、馳係合があるため、より効果的に防水できる。内馳部４の１６部の底部と２５部上表面の馳係合があるため、風は入りにくく、馳係合した状態で、部材２２の内側に沿って、重力にさからって水が進行するリスクは、さらに減じる。万一、ごくわずかな水分が進行してしまったとしても、２３部内側近傍と隣り合う屋根部材３の内馳部４部材１１と部材１５の間の曲り部近傍外側との馳係合に阻止される。万一ごくわずかに進行してしまったり、部材１１部で結露が発生したとしても、先端曲げ返し部分１７にて阻止される。もし、部材１５で結露が生じても、馳係合の内側で風が少ない状態では、結露は重力に逆らって部材１５の表面を登らないので阻止される。矢印Ｒ方向からの降水が有った時、万一外馳部５の内側に雨水が入りこんでしまったとしても、多くは、内馳部４の内側に阻止される。内馳部４の内側に阻止された降水は全部、屋根の上側に進行する。内馳部４の内側に結露したとしても、全部屋根上方向にしか進行できない。
【００５６】  次に図１を参照して、本発明実施形態の外馳部５近傍について記載する。重ね合せ、馳係合してなる薄板屋根部材３の本体から、所定の角度を屋根内側に折り曲げて長手方向断面直線部２３を形成する。断面直線部２３は、平面で、請求項１記載の薄板屋根部材３本体表面と略平行でない少なくとも１つの直線部、すなわち、前記薄板屋根部材本体表面と略平行でない長さ方向平面部を成す。結果、施工時作業員が上に乗ったり、施工装置や、材料・工具等を仮置きした際、薄板屋根部材３そのものの強度を著しく増加させ撓んだり、撓んだ履歴が残ることが低減される。撓んだり、撓んだ履歴が残ることによる防水効果の低下が抑止される。ここに、従来技術のように、平坦な屋根部材に対して、屋根外側方向にのみ（屋根内側方向にみの）折り曲げて外馳部を形成し、同時に、断面の反対側に屋根内側方向にのみ（屋根外側方向にみの）折り曲げて外馳部を作って、隣同志の平坦な屋根部材を馳系合させると、馳系合部の高さに相当する段差がつく。この段差に作業者が躓いたりして怪我をする問題があったのに対して、これらの怪我等がなくなる効果がある。また、段差を作業者が踏んだり、施工装置や、材料・工具等を仮置きした際、撓んだり、撓んだ履歴が残ることによる防水効果の低下が抑止される効果がある。
【００５７】  また、図１のように断面直線部２３に対して所定の角度折り曲げた長手方向断面直線部２２を形成する。長手方向断面直線部２２は、平面で、請求項１記載の薄板屋根部材３本体表面と略平行でない少なくとも１つの直線部、すなわち、前記薄板屋根部材本体表面と略平行でない長さ方向平面部を成す。結果、施工時作業員が上に乗ったり、施工装置や、材料・工具等を仮置きした際、薄板屋根部材３そのものの強度を著しく増加させ、撓んだり、撓んだ履歴が残ることが低減される。撓んだり、撓んだ履歴が残ることによる防水効果の低下が抑止される。長手方向断面直線部２２は、正確な平面でなくて、後に説明する２４の緩やかな曲率に連続するように、２４の緩やかな曲率よりさらに緩やかな曲率となす実施例でもよい。２４の緩やかな曲率に連続するので、加工しやすい作用・効果があるのと、２４の緩やかな曲率よりさらに緩やかな曲率を曲げ加工する際の、加工時の効果により、また、マスエフェクトにより、施工時作業員が上に乗ったり、施工装置や、材料・工具等を仮置きした際、薄板屋根部材３そのものの強度を著しく増加させ撓んだり、撓んだ履歴が残ることが低減される。撓んだり、撓んだ履歴が残ることによる防水効果の低下が抑止される。
【００５８】  ２５は、本発明一実施形態として、断面が薄板屋根部材３の本体表面に略平行な直線、つまり平面とした。薄板屋根部材３、特に外馳部５近傍の図１左右方向に対する強度を強化するとともに、施工時作業員が上に乗ったり、施工装置や、材料・工具等を仮置きした際、横方向の応力も働くので、薄板屋根部材３そのものの強度を増加させ、撓んだ履歴が残ることが低減される。撓んだ履歴が残ることによる防水効果の低下が抑止される。外馳部５の内側に配置される隣り合わせ別部品の薄板屋根部材３の内馳部４全体を機械的に保護するとともに、内馳部４と重ね合わせ、組み立てた状態での薄板屋根部材３系を機械的に強化し、施工時作業員が上に乗ったり、施工装置や、材料・工具等を仮置きした際、薄板屋根部材３組み立て体の系としての強度を著しく増加させ撓んだり、撓んだ履歴が残ることが低減される。撓んだり、撓んだ履歴が残ることによる防水効果の低下が抑止される。
【００５９】  ２４は、本発明一実施形態として、前記２５と前記２２を緩やかな断面曲線でつなぐ。ここに、内馳部４を内側に配置した時、加工ばらつき、組み立てばらつきその他による内馳部４の外側との直接接触を回避する逃げ部とする。内馳部４の内側と外馳部５の直接接触があると、施工時作業員が上に乗ったり、施工装置や、材料・工具等を仮置きした際、重力によって撓むことにより、力が印加した状態で、接触擦り合うことによって、薄板屋根部材３の表面塗装、クラッド材料等が部分的に剥がれて腐食の要因になる。しかし、直接接触を回避する逃げ部として作用するので、重力によって撓むことにより、力が印加した状態で、接触や擦り合うことが原因となっての腐食開始を抑制できる。
【００６０】  また、本発明一実施形態として、２４が、２４の緩やかな曲率と、前記２５と前記２２を緩やかな断面曲線でつながれていることのいずれか、または、両方の作用により、施工時作業員が上に乗ったり、施工装置や、材料・工具等を仮置きした際、重力によって外馳部５とその近傍が、上下・左右の応力を受けた時、弾性的に抗する作用がある。結果、施工時作業員が上に乗ったり、施工装置や、材料・工具等を仮置きした際、薄板屋根部材３組み立て体の系としての強度を著しく増加させ撓んだり、撓んだ履歴が残ることが低減される。撓んだり、撓んだ履歴が残ることによる防水効果の低下が抑止される。。
【００６１】  さらに、本発明一実施形態として、図１のように請求項１記載の、薄板屋根部材３の長さ方向断面に少なくとも１つの折れ曲がり部Ｂを設ける。折れ曲がり部Ｂにより、薄板屋根部材３そのものの剛性が、強化される。結果、地震発生時や施工時作業員が上に乗ったり、施工装置や、材料・工具等を仮置きした際、重力によって変形しにくくなり、地震発生時や施工時作業員が上に乗ったり、施工装置や、材料・工具等を仮置きした際、ひずみや履歴が残留して、雨がえし、防水効果が低減するのを抑止できる。これにより、内馳部４の外形の重心と外馳部５の重心とを結んだ線と、９０に示す１６から折れ曲がり部Ｂに至る薄板屋根部材３の板厚芯とを略一致させることができる。この結果、地震発生時や施工時作業員が上に乗ったり、施工装置や、材料・工具等を仮置きした際、重力によって外馳部５とその近傍が、上下・左右の応力を受けた時に、重ね合せ、馳係合してなる薄板屋根部材３に派生する歪、内部応力状態が安定する。ここに、折れ曲がり部Ｂから１２６に示す部分と外馳部５が、地震発生時や施工時作業員が上に乗ったり、施工装置や、材料・工具等を仮置きした際に弾性的に作用し、接触や擦れ等により、薄板屋根部材３の塗装が破壊開始したり、薄板屋根部材３のクラッド材が破壊開始するのを抑止する。
【００６２】  段落００６２で、請求項１記載の薄板屋根部材３の長さ方向断面に少なくとも１つの折れ曲がり部Ｂを屋根外側に曲げて折れ曲がり部Ｂとする構成を記載した。本発明の別の一実施形態として、折れ曲がり部Ｂを屋根内側に曲げて折れ曲がり部Ｂとしても、良い。これにより、折れ曲がり部Ｂにより、薄板屋根部材３そのものの剛性が、強化される。結果、地震発生時や施工時作業員が上に乗ったり、施工装置や、材料・工具等を仮置きした際、重力によって変形しにくくなり、地震発生時や施工時作業員が上に乗ったり、施工装置や、材料・工具等を仮置きした際、ひずみや履歴が残留して、雨がえし、防水効果が低減するのを抑止できる。これにより、内馳部４の外形の重心と外馳部５の重心とを結んだ線と、１２６に示す２３から折れ曲がり部Ｂに至る薄板屋根部材３の板厚芯とを略一致させることができる。この結果、地震発生時や施工時作業員が上に乗ったり、施工装置や、材料・工具等を仮置きした際、重力によって外馳部５とその近傍が、上下・左右の応力を受けた時に、重ね合せ、馳係合してなる薄板屋根部材３に派生する歪、内部応力状態が安定する。ここに、折れ曲がり部Ｂから９０に示す部分とそと内馳部４が、地震発生時や施工時作業員が上に乗ったり、施工装置や、材料・工具等を仮置きした際に弾性的に作用し、接触や擦れ等により、薄板屋根部材３の塗装が破壊開始したり、薄板屋根部材３のクラッド材が破壊開始するのを抑止する。
【００６３】  ここまで、内馳部４を図１右に屋根上方向に配置し、外馳部５を図１左に屋根下方向に配置した構成を記載した。しかし、内馳部４を図１右に屋根下方向に配置し、外馳部５を図１左に屋根上方向に配置した別の一本発明一実施形態であっても、段落００４２から段落００６３に記載相当の作用・効果がある。
【００６４】  また、内馳部４を図１右に屋根上方向に配置し、外馳部５を図１左に屋根下方向に配置する構成の本発明一実施形態であっても、段落００４２から段落００６３に記載相当の作用・効果がある。そして、内馳部４を図１右に屋根下方向に配置し、外馳部５を図１左に屋根上方向に配置する構成の本発明一実施形態であっても、段落００４２から段落００６３に記載相当の作用・効果がある。
【００６５】  ここに、本発明一実施形態として、例えば、薄板屋根部材３の板厚が略２ｍｍの薄板屋根部材３を使った場合、１４．７部を略１４．７ｍｍ、１７部を略１７ｍｍに、２０部を略２０ｍｍに設定すると、１３部を略１０ｍｍ、１４部を略１５ｍｍに設定すると、段落００４２から段落００６３に記載の作用・効果がある。ループ材料定尺材が使用できて、材料の無駄がなく生産性が良い。本発明一実施形態として、例えば、１２６部を略１２６ｍｍ、９０部を略９０ｍｍに設定して、段落００４２から段落００６３に記載の作用・効果を得た。
【００６６】  内馳部４の断面を少し大きくしたら、外馳部５断面も対応して少し大きくし、１２６部９０部の寸法を対応して少し小さくとれば、材料の無駄がなく生産性が良いとともに、段落００４２から段落００６３に記載の作用・効果を奏する。
【００６７】  本発明一実施形態として、薄板屋根部材３の板厚を略１〜２ｍｍに設定し、２２９部を略２２９ｍｍに設定すると、薄板屋根部材３の屋根としての有効働き幅が、２０５部として示す略２０５ｍｍに設定される。本発明一実施形態として本発明にかかる屋根を設計活動するに際して、本発明一実施形態の薄板屋根部材３を標準薄板屋根部材とする場合、有効働き幅が、２０５部の有効働き幅寸法を設計指標、設計基準として、屋根全体を設計できる。
【００６８】  薄板屋根部材３の材料として、熱延薄鋼板類、冷延薄鋼板類、表面処理薄鋼板［亜鉛をめっきした亜鉛めっき鋼板、スズをめっきした錫めっき鋼板（ブリキ）、クロム酸処理を施したティンフリースチール、塗装を施したカラー鋼板（塗装鋼板・プレコート鋼板）、銅版、亜鉛板］を関東地方で、対候試験をしたところ、比較例のスレート系屋根が、２０年以下でクラック、ひび割れ等による雨水漏れ現象が複数検出されたのに対して、前記すべての薄鋼板類に関して、３０年経過した時点で、雨水漏れ現象は検出されていない。
【００６９】  薄板屋根部材３の材料として、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板を関東地方で、対候試験をしたところ、８年経過サンプル、１２年経過サンプル、２４年経過サンプルのいずれも、雨水漏れ現象が発生しない状態を更新中である。
【００７０】  本発明一実施形態として、図２に示すように、隣り合う薄板屋根部材３であるＣとＤをそれぞれ矢印ｃ、矢印ｄの方向に組み立てる。継ぎ手裏板３０１は、隣り合う薄板屋根部材３であるＣとＤの熱膨張を吸収するために、所定の伸縮目地、スペースを介して図３に示すように組み立てられる。
【００７１】次に、図２の矢印ｃ、矢印ｄの方向に沿って組み立て、継ぎ手裏板３０１を組み立てて図３に示すように組み立てる時の組み立て性・組み立てに作用ついて、図１を参照して説明する。図１の２５と９０は、略平行となし、隣り合う薄板屋根部材３の内馳部４と外馳部５を薄板屋根部材３の略本体方向に沿って重ね合せ、馳係合させる組み立てを行う時、精度良好に重ね合せ、馳係合させる作用をもたらす。薄板屋根部材３の略本体方向に沿って隣り合う薄板屋根部材３を相互に重ね合せ、馳係合させる組み立ての際の薄板屋根部材３のセッティング方向に対して、２５と９０は、略垂直方向なので、精度良好に重ね合せ、馳係合させる作用をもたらす。つまり、薄板屋根部材３を相互に重ね合せ、馳係合させる組み立ての際、作業ばらつきによって、内馳部４と外馳部５のいずれか部分が接触し、薄板屋根部材３の内馳部４と外馳部５やその他の特定の部分に接触し、塗装膜やクラッド材、表面処理膜、あるいは、薄板屋根部材３の本体材料に一部傷、擦り跡をつけてしまい、一部の傷、擦り跡がトリガ―となって、腐食や応力腐食が進展してしまうのを最小限に抑えられる。
【００７２】  また、薄板屋根部材３の折れ曲がり部Ｂと１２６部で、わずかな弾性作用があるので、隣り合う薄板屋根部材３の内馳部４と外馳部５の一部にて、組み立て施工時に、万一接触が起こった際も、薄板屋根部材３の本体材料に一部傷、擦り跡をつけてしまう現象は、最小限に抑えられる。結果、一部の傷、擦り跡がトリガ―となって、腐食や応力腐食が進展してしまうのをさらに最小限に抑えられる。
【００７３】  ここに、図１において、９０部に対して略垂直方向で、１２６部と１４．７部の折れ曲がり部を少し外れた２６部の寸法を１４部の寸法（本発明一実施形態として略１５ｍｍに設定）と相等あるいは、少し大となるように設定するとよい。薄板屋根部材３の加工製造ばらつきで２６部の寸法を１４部の寸法より少し小さくなってしまった場合でも、１４．７部、２３部、２２部、２４部の曲率を有する部、２５部、１２６部の弾性作用で、より防水作用効果の高い、隣り合う薄板屋根部材３の重ね合せ、馳係合作用を得る。塗装膜やクラッド材、表面処理膜等の表面接触部が比較的強固で、また、接触箇所で同じくらいの堅さの設定・設計をすると、一部の傷、擦り跡がトリガ―となって、腐食や応力腐食が進展する作用は少ないので、地震発生時や施工時作業員が上に乗ったり、施工装置や、材料・工具等を仮置きした際に強度が増し、かつ、防水機能が低下するのを大きく抑止できる。隣り合う薄板屋根部材３の略平行な２５部と１６部が整合し、強度の向上と高度な防水作用効果が得られる。内馳部４の先端曲げ返し部分１７の先端は、１１部と１２部の折れ曲がり部の高さを超えないように設定・設計をすると、高い組み立て性、施工性とともに、強度増強、防水性向上作用を同時達成出来る。
【００７４】  外馳部５の先端曲げ返し部分２１は下向きに曲げ返してあるため、これらの組み立て施工時に引っ掛かることによるやり直し等の作業低下をもたらさない。下向きに曲げ返してあるため、適切なガイドとなり、組み立て性、施工性を向上させる。図１において、２４部の曲率を少し大きくし加工性を向上させた。ここに、先端曲げ返し部分２１の曲げ返しを小さく曲率を大にして、２４部の大きい曲率に呼応して、先端曲げ返し部分２１の先端部分が、２４部の最も出っ張った曲線の接線と略平行、略一致させた。これにより、重力に略垂直方向に設定でき、基材等に安定的に、全体に地震等発生時にも安定的に挙動するようみ立て施工できる作用・効果を奏する。
【００７５】  内馳部４と外馳部５を図１の左右方向にトンボ（入れ替え）しても、内馳部４と外馳部５の曲り方向を屋根外側と屋根内側にトンボ（逆転）させても、本発明構成要件を満たす限り、段落００６４に記載したと同様に、段落００７２から段落００７５  の作用効果を奏する。
【００７６】  次に、図３のＭＮ線にての略断面図である図４（ａ）を参照して、屋根の水平方向、つまり、図１の紙面表裏方向に隣り合う薄板屋根部材３と継ぎ手裏板３０１の組み立て性、防水性について記載する。図４（ａ）において、Ｃは、図２、図３と同様の、本発明一実施形態の薄板屋根部材３である。Ｄは、屋根の水平方向、つまり、図１の紙面表裏方向にＣと隣り合う薄板屋根部材３である。５２は、図２、図３では図示せぬ、隣り合う薄板屋根部材Ｃに設けた長手方向裏板向け馳部である。５３は、図２、図３では図示せぬ、水平方向、つまり、図１の紙面表裏方向にＣと隣り合う薄板屋根部材Ｄに設けた長手方向裏板向け馳部である。５４は、気温変動による熱膨張・熱収縮や地震発生時、また、施工時作業員が上に乗ったり、施工装置や、材料・工具等を仮置きした際に、競合、せり上がり等を防止、緩和させるための伸縮目地である。薄板屋根部材３に銅板等の熱膨張率の大きい材料を採用した場合は、熱膨張率の小さい材料を採用した場合より、伸縮目地５４を大きく取ればよい。
【００７７】  図４（ａ）に関する本発明一実施形態として、Ｃの側にガーターＧ１、ガーターＧ２を配置する。また、Ｄ側にガーターＧ３、ガーターＧ４を配置する。ガーターＧ１、ガーターＧ２、ガーターＧ３、ガーターＧ４では、万一入り込んでしまった雨水が、屋根内側に入り込まないような作用を成す。また、ガーターＧ１、ガーターＧ２、ガーターＧ３、ガーターＧ４では、気温差、湿度差が要因して結露がてきてしまった場合、結露が、板を伝わって、これ以上屋根内側に入り込まないような作用を成す。これらのガーターの略断面は、図４（ａ）や後述する図４（ｂ）に示すように、略半円でもいいし、薄板屋根部材３に採用する材料の加工性、生産性に鑑みて形を選択すればよい。曲げ加工の容易さ、同様の加工変形の多さに対して保水断面積の広さを効率よく確保できることから、略半円や曲率を持った断面形状が良い。ガーターの数については、単数、複数を適宜選択すればよい。
【００７８】  図４（ｂ）は、図４（ａ）のＣと継ぎ手裏板３０１との組み立て性について図４（ａ）の一部を拡大した略断面図である。図４（ａ）、図４（ｂ）において、本発明一実施形態を説明する。小さい××で示すのは、継ぎ手裏板３０１との接合部分を示す。図４（ｂ）において、Ｃの長手方向裏板向け馳部５２に対して、馳用裏板部５７が、重ね合せ、馳係合してなる。ここに、図４（ａ）、図４（ｂ）に示すように、本発明一実施形態では、伸縮目地５４の目地寸法に対して、図４（ｂ）の５６部の寸法を二倍以上の長さに設定した。５６部の寸法長さが長い方が、雨水や結露が部材表面を伝播して、より屋根内側に入り込みにくいので、雨水がえし、防水効果が高い。また、５５部の内側と馳用裏板部５７の先端部が接触するか、図４（ａ）、図４（ｂ）に示すように、接触するか、５５部の内側と馳用裏板部５７の先端部の間のクリアランスが小さい方が、雨水や結露が部材表面を伝播してきた時の、水がえし、防水効果が高い。同様に、Ｃの長手方向裏板向け馳部５２の５５部の曲げを超えた最先端部と馳用裏板部５７の内側部５８部が、接触するか、５５部の曲げを超えた最先端部と馳用裏板部５７の内側部５８部近傍のクリアランスが、小さい方が、雨水や結露が部材表面を伝播してきた時の、水がえし、防水効果が高い。
【００７９】  図４（ａ）、図４（ｂ）において、小さい××で示す接合部に関しては、継ぎ手裏板３０１や馳用裏板部５７の材質が金属の場合は、溶接、スポット溶接等の接合が選択でき、クラッド材、樹脂等の場合は、接着、溶着等の接合手段が選択できる。Ｃ，Ｄに銅板のような線膨張率の大きい材料を選定した場合は、伸縮目地５４の目地寸法を、より大きく設定する。ここに、継ぎ手裏板３０１と馳用裏板部５７の接合は、固着、接着してなるも、Ｃ，Ｄの長手方向裏板向け馳部５２、５３と継ぎ手裏板３０１と馳用裏板部５７の接合系は、固着、接合してなくフリ―であるため、気温差による熱膨張差、強風による負圧、正圧等による変形、施工時作業員が上に乗ったり、施工装置や、材料・工具等を仮置きした際に発生する変形を吸収し、破壊や不必要な競合変形等の瑕疵現象をもたらさない。
【産業上の利用可能性】
【００８０】  近年国内で発生した大きな地震では、重量の大きな和瓦が耐震構造の充分でない住宅、建て屋を倒壊、半倒壊させて被害を招いている。将来発生が予想される地震でもこのような被害が懸念される。スレート屋根等重量がある屋根は、大きな地震での住宅、建て屋に与える負担が大きい。ここに、これらを回避し、耐久性が高く、メンテナンススパンも長い薄板屋根部材から成り、軽量で強度があり、防水性の高い薄板屋根部材とその組み立て施工方法を提供するので、産業上の利用可能性が大きい。
【符号の説明】
【００８１】３      重ね合せ、馳係合してなる薄板屋根部材
４      内馳部
５      外馳部
１１    薄板屋根部材３の内馳部本体表面と略平行でない直線部
１２    薄板屋根部材３の内馳部本体表面と略平行でない直線部
１７    内馳部４の先端曲げ返し部分
２１    外馳部５の先端曲げ返し部分
２２    薄板屋根部材３の外馳部本体表面と略平行でない直線部
２３    薄板屋根部材３の外馳部本体表面と略平行でない直線部
Ｂ      薄板屋根部材３の折れ曲がり部
５２    Ｃに設けた裏板向け馳部
５３    Ｄに設けた裏板向け馳部
３０１  継ぎ手裏板
【図１】
2018131888.tif 000003
【図２】
2018131888.tif 000004
【図３】
2018131888.tif 000005
【図４】
2018131888.tif 000006